(57)【特許請求の範囲】
【請求項１】
マンホール内の水中に設置される２台のマンホールポンプを制御するために地下に埋設状態で設置される地下埋設設備であるマンホールポンプ制御盤の配線構造であって、
地上に設置される電源供給設備と前記マンホールポンプ制御盤とを接続する第１ケーブルと、
前記マンホールポンプ制御盤に対して前記２台のマンホールポンプを並列に接続する２本の第２ケーブルと、
前記マンホールポンプ制御盤に対して電源の供給と遮断を行うために、前記電源供給設備内に設けられた第１スイッチと、
前記マンホールポンプ制御盤から各マンホールポンプに対して電源の供給及び遮断を行うために、前記２本の第２ケーブル上にそれぞれ設けられた２個の第２スイッチと、
前記２本の第２ケーブルからそれぞれ分岐され、非分岐側の端部が端子となって前記電源供給設備内に配置されて、前記マンホールポンプの絶縁抵抗を測定するための絶縁抵抗計のリード線に接続可能に配線された２本の抵抗測定ケーブルと、
を備え、
前記２個の第２スイッチは、いずれも前記第１スイッチの切断に連動して切断され、
当該２個の第２スイッチが切断されることにより、前記マンホールポンプ制御盤と２台の前記マンホールポンプとを電気的に切り離した状態で、前記マンホールポンプ制御盤を地下に埋設したままで、前記２台のマンホールポンプのいずれかを選択して、その絶縁抵抗を個別に測定可能にしたことを特徴とするマンホールポンプ制御盤の配線構造。
【請求項２】
前記第１スイッチと、前記２本の抵抗測定ケーブルの各測定端子のいずれかに接続して、前記２台のマンホールポンプのいずれか一方の絶縁抵抗を測定する絶縁抵抗計は、いずれも支柱に設けられた地上引込盤内にそれぞれ設けられていることを特徴とする請求項１に記載のマンホールポンプ制御盤の配線構造。
【発明の詳細な説明】
【０００１】
【発明の属する技術分野】
本発明は、マンホール内の水中に設置される２台のマンホールポンプを制御するために地下に埋設状態で設置される地下埋設設備であるマンホールポンプ制御盤の配線構造に関するものである。
【０００２】
【従来の技術】
地下埋設設備の１つとして、マンホールポンプ制御盤Ａが挙げられる。このマンホールポンプ制御盤Ａは、図３に示されるように、下水道を流れる下水ＷをマンホールＭＨ内においてポンプアップして、汚水処理場まで送り込むための２つの水中ポンプＰa,Ｐb を制御するものである。当初、このマンホールポンプ制御盤Ａは、地上に設置されたり、或いは地上に立てられたコンクリート製の支柱に取付けられていた。しかし、地上に設置した場合には、この制御盤Ａ自体が大きい（幅×奥行き×高さが７００ｍｍ×５００ｍｍ×１６００ｍｍ程度である）ので、歩行障害、交通障害を伴うと同時に、都市景観を損ない、しかも私有地に立てることが大部分であるために、その用地確保が困難な場合が多い等の問題があった。本出願人は、これらの問題を解決するために、このマンホールポンプ制御盤Ａを地下に埋設することとした。
【０００３】
マンホールポンプ制御盤Ａの配線構造について説明する。マンホールポンプ制御盤Ａの近傍の地表面には支柱１が立設されていて、該支柱１の所定高さの位置に地上引込盤２が取付けられている。外部電線３から分岐された引込線４は、前記地上引込盤２内に取付けられた漏電遮断器５を介して地下に埋設され、ハンドホールＨに収容されたマンホールポンプ制御盤Ａに接続されている。前記引込線４は、マンホールポンプ制御盤Ａ内で２本の水中ポンプ接続線６a,６b に分岐され、それぞれ盤内スイッチ７a,７b を介して、マンホールＭＨ内に設置された各水中ポンプＰa,Ｐb に接続されている。作業者が、地上引込盤２に取付けられた漏電遮断器５を操作して「ＯＮ」の状態とすると、マンホールポンプ制御盤Ａ内の各盤内スイッチ７a,７b が連動して入り、各水中ポンプＰa,Ｐb を構成するそれぞれのモータＭa,Ｍb が作動される。そして、前記漏電遮断器５を操作して「ＯＦＦ」の状態とすると、マンホールポンプ制御盤Ａ内の各盤内スイッチ７a,７b が連動して切断され、各水中ポンプＰa,Ｐb に取付けられたモータＭa,Ｍb が停止される。
【０００４】
ここで、前記２つの水中ポンプＰa,Ｐb は、常にマンホールＭＨ内の下水Ｗに浸漬されている。そのため、これらの水中ポンプＰa,Ｐb において、各モータＭa,Ｍb と各水中ポンプ接続線６a,６b との接続部分には絶縁処理が施されている。しかし、長時間が経過すると絶縁処理された部分が劣化して下水Ｗが浸入し、各モータＭa,Ｍb が損傷するおそれがある。
【０００５】
このため、作業者は、絶縁抵抗計８を使用して、定期的に各モータＭa,Ｍb に接続された各水中ポンプ接続線６a,６b と大地との間の絶縁抵抗を測定する必要がある。この作業を行うとき、漏電遮断器５が切断されるため、マンホールポンプ制御盤Ａ内の各盤内スイッチ７a,７b も連動して切断される。この結果、作業者は、各水中ポンプ接続線６a,６b と大地との間に、絶縁抵抗計８を配置させなければならない。ところが、前記マンホールポンプ制御盤Ａは地下に埋設されているため、この状態で各モータＭa,Ｍb の絶縁抵抗を測定することは極めて困難である。そして、マンホールポンプ制御盤Ａを地上に引き上げる作業は、面倒で大がかりなものである。上記した結果、マンホールポンプ制御盤Ａが修理・点検のために地上に引き上げられたときに、各モータＭa,Ｍb の絶縁抵抗を測定しているのが現状である。なお、図３において、９は、ハンドホール蓋である。
【０００６】
【発明が解決しようとする課題】
本発明は、上記した不具合に鑑み、地下に埋設された地下埋設設備であるマンホールポンプ制御盤を地上に持ち上げることなく、マンホール内の水中に設置される２台のマンホールポンプの絶縁抵抗の測定を地上において、しかも個別に行えるようにすることを課題としている。
【０００７】
【課題を解決するための手段】
上記課題を解決するための請求項１に記載の発明は、マンホール内の水中に設置される２台のマンホールポンプを制御するために地下に埋設状態で設置される地下埋設設備であるマンホールポンプ制御盤の配線構造であって、地上に設置される電源供給設備と前記マンホールポンプ制御盤とを接続する第１ケーブルと、前記マンホールポンプ制御盤に対して前記２台のマンホールポンプを並列に接続する２本の第２ケーブルと、前記マンホールポンプ制御盤に対して電源の供給と遮断を行うために、前記電源供給設備内に設けられた第１スイッチと、前記マンホールポンプ制御盤から各マンホールポンプに対して電源の供給及び遮断を行うために、前記２本の第２ケーブル上にそれぞれ設けられた２個の第２スイッチと、前記２本の第２ケーブルからそれぞれ分岐され、非分岐側の端部が端子となって前記電源供給設備内に配置されて、前記マンホールポンプの絶縁抵抗を測定するための絶縁抵抗計のリード線に接続可能に配線された２本の抵抗測定ケーブルとを備え、前記２個の第２スイッチは、いずれも前記第１スイッチの切断に連動して切断され、当該２個の第２スイッチが切断されることにより、前記マンホールポンプ制御盤と２台の前記マンホールポンプとを電気的に切り離した状態で、前記マンホールポンプ制御盤を地下に埋設したままで、前記２台のマンホールポンプのいずれかを選択して、その絶縁抵抗を個別に測定可能にしたことを特徴としている。
【０００８】
マンホールポンプ制御盤に接続された２台のマンホールポンプの絶縁抵抗を測定するためには、次のようにして行う。地上に設置された電源供給設備とマンホールポンプ制御盤とを接続する第１スイッチを切断すると、それに連動して、マンホールポンプ制御盤に対して２台のマンホールポンプを並列に接続している２本の第２ケーブル上に設けられた２個の第２スイッチが切断される。２本の第２ケーブルには、前記２台のマンホールポンプの絶縁抵抗を測定するための抵抗測定ケーブルがそれぞれ分岐状態で取付けられている。作業者は、絶縁抵抗計により、前記抵抗測定ケーブルの測定端子と大地との間の絶縁抵抗を測定することにより、２台のマンホールポンプの絶縁状態を地上において個別に検知することができる。このように、請求項１の発明では、２台のマンホールポンプを制御するマンホールポンプ制御盤を地下に埋設したままで、当該２台のマンホールポンプのいずれかを選択して、その絶縁抵抗を地上において個別に測定することができる。
【０００９】
請求項２に記載の発明は、請求項１において、前記第１スイッチと、前記２本の抵抗測定ケーブルの各測定端子のいずれかに接続して、前記２台のマンホールポンプのいずれか一方の絶縁抵抗を測定する絶縁抵抗計は、いずれも支柱に設けられた地上引込盤内にそれぞれ設けられていることを特徴としているため、マンホールポンプ制御盤に接続された２台のマンホールポンプの絶縁抵抗を測定するときに、作業者が絶縁抵抗計を持ち運ぶことが不要である。
【００１０】
【００１１】
【発明の実施の形態】
以下、実施形態を挙げて本発明を更に詳細に説明する。本実施例では、マンホールＭＨ内に設置された２つの水中ポンプＰa,Ｐb に取付けられた各モータＭa,Ｍb の作動を制御するためのマンホールポンプ制御盤Ａについて説明する。なお、従来の技術で説明したものと同一の部分には同一の符号を付し、重複説明を避けて、本発明の特徴部分についてのみ説明する。図１は本発明に係るマンホールポンプ制御盤Ａの配線構造を示す概略図、図２は絶縁抵抗計８が組み込まれた地上引込盤２の正面図である。
【００１２】
図１に示されるように、外部電線３から分岐され、地上引込盤２に取付けられた漏電遮断器５を介してマンホールポンプ制御盤Ａに接続された引込線４は、該制御盤Ａ内で２本に分岐され、各盤内スイッチ７a,７b を介して延設されている。そして、前記各盤内スイッチ７a,７b から延設された電線は、更に途中で２本に分岐され、そのうちの１本は、各水中ポンプ接続線６a,６b となって、それぞれ水中ポンプＰa,Ｐb を構成するモータＭa,Ｍb に接続されている。また、残りの１本は、絶縁抵抗測定線１１a,１１b となって、支柱１に取付けられた地上引込盤２内の各測定端子１２a,１２b に接続されている。前記地上引込盤２内には、大地に接続されたアース端子１３が設けられている。
【００１３】
作業者が、各モータＭa,Ｍb の絶縁抵抗を測定する場合、次のようにして行う。最初に、漏電遮断器５を切断する。すると、該漏電遮断器５と連動して、マンホールポンプ制御盤Ａ内の各盤内スイッチ７a,７b が切断されるため、各モータＭa,Ｍb には電源が供給されなくなる。作業者は、地上引込盤２の近傍に絶縁抵抗計８を設置し、該絶縁抵抗計８から延設された一方側のリード線１４をアース端子１３に接続させると共に、他方側のリード線１５を、絶縁抵抗の測定を行う側のモータ（図１の場合、モータＭａ）に接続された絶縁抵抗測定線１１ａ側の測定端子１２ａに接続させる。こうすることによって、モータＭａと絶縁抵抗計８とが、水中ポンプ接続線６ａと絶縁抵抗測定線１１ａとによって接続される。このため、前記測定端子１２ａと大地との間の絶縁抵抗を測定することは、モータＭａと大地との間の絶縁抵抗を測定することと同一となる。もう１つのモータＭｂの絶縁抵抗を測定する場合、絶縁抵抗計８から延設された一方側のリード線１４をアース端子１３に接続させたまま、他方側のリード線１５を、モータＭｂに接続された絶縁抵抗測定線１１ｂ側の測定端子１２ｂに接続させるだけで済む。
【００１４】
このようにして、作業者は、各モータＭa,Ｍb と大地との間の絶縁抵抗を測定することができる。そして、測定された抵抗値により、各モータＭa,Ｍb の絶縁状態を検知することができる。上記した作業は、マンホールポンプ制御盤Ａを地下に埋設したまま行うことができるため、従来のように、絶縁抵抗を測定するためにマンホールポンプ制御盤Ａを引き上げる作業が不要である。
【００１５】
上記した絶縁抵抗計８を、地上引込盤２内に組み込んでも構わない。次に、その実施例について説明する。図２に示されるように、地上引込盤２に絶縁抵抗計８が組み込まれていて、該絶縁抵抗計８から延設された一方側のリード線１４は、予め、アース端子１３に接続されている。そして、他方側のリード線１５は、切換えスイッチ１６に接続されている。また、各モータＭa,Ｍb と接続される各絶縁抵抗測定線１１a,１１b は、地上引込盤２内に取付けられた各測定端子１２a,１２b に接続されている。通常の場合、前記切換えスイッチ１６は、各測定端子１２a,１２b の間で、いずれの測定端子１２a,１２b とも非接続の状態で配置されている。そして、各モータＭa,Ｍb の絶縁抵抗を測定する際に、作業者が、前記切換えスイッチ１６といずれかの測定端子１２a,１２b とを接続させることができるようになっている。
【００１６】
各モータＭa,Ｍb の絶縁抵抗を測定するとき、作業者は、切換えスイッチ１６を操作して、いずれかの測定端子１２a,１２b に接続させるだけで済む。この実施例の場合、絶縁抵抗計８が地上引込盤２に組み込まれているため、作業者が絶縁抵抗を測定する際に、絶縁抵抗計８を持ち運ぶことが不要である。
【００１７】
上記したように、絶縁抵抗計８を地上引込盤２に組み込むことにより、該地上引込盤２が１つで済むという利点があるが、該絶縁抵抗計８を地上引込盤２とは別の場所に、単独で設置させても構わない。
【００１８】
【発明の効果】
請求項１の発明は、マンホールポンプ制御盤に対して２台のマンホールポンプを並列に接続している２本の第２ケーブル上に設けられた２個の第２スイッチは、いずれも地上に設置された電源供給設備とマンホールポンプ制御盤とを接続する第１スイッチの切断に連動して切断されて、当該２個の第２スイッチの切断により、前記マンホールポンプ制御盤と２台の前記マンホールポンプとを電気的に切り離される。このため、２個の第２スイッチが切断されてマンホールポンプに給電されない状態で、２本の第２ケーブルにそれぞれ接続されている２本の抵抗測定ケーブルの端部の端子を絶縁抵抗計のリード線に接続させることにより、マンホール内に水中設置された２台のマンホールポンプを制御するマンホールポンプ制御盤を地下に埋設したままで、地上に持ち上げることなく、当該２台のマンホールポンプのいずれかを選択して、その絶縁抵抗を地上において個別に測定できる。
【００１９】
請求項２に記載の発明は、前記第１スイッチと、前記２本の抵抗測定ケーブルの各測定端子のいずれかに接続して、前記２台のマンホールポンプのいずれか一方の絶縁抵抗を測定する絶縁抵抗計は、いずれも支柱に設けられた地上引込盤内にそれぞれ設けられていることを特徴としているため、作業者が絶縁抵抗計を持ち運ぶことが不要である。
【００２０】
【図面の簡単な説明】
【図１】  本発明に係るマンホールポンプ制御盤Ａの配線構造を示す概略図である。
【図２】  絶縁抵抗計８が組み込まれた地上引込盤２の正面図である。
【図３】  従来のマンホールポンプ制御盤Ａの配線構造を示す概略図である。
【符号の説明】
Ａ：マンホールポンプ制御盤
Ｐa,Ｐb ：水中ポンプ（マンホールポンプ）
２：地上引込盤（電源供給設備）
３：外部電線（電源供給設備）
４：引込線（第１ケーブル）
５：漏電遮断器（第１スイッチ）
６a,６b ：水中ポンプ接続線（第２ケーブル）
７a,７b ：盤内スイッチ（第２スイッチ）
８：絶縁抵抗計
１１a,１１b ：絶縁抵抗測定線（抵抗測定ケーブル）
１２a,１２b ：測定端子
【図１】
0004710197.tif 000002
【図２】
0004710197.tif 000003
【図３】
0004710197.tif 000004